(57)【要約】【課題】リレー音の大きさを低減する。【解決手段】電池装置１０はリレー１８と補機用バスバ１２とを有する。リレー１８を筐体１３の外表面に防振材２１を介して固定する。補機用バスバ１２は第１の端子部２７と第２の端子部２８と結合部２９とを有する。第１の端子部２７はリレー１８の接点端子２３に接続する。第２の端子部２８は第１の端子部２７に電気的に結合する。第２の端子部２８は第１の端子部２７の高さ位置とは異なる高さ位置で接点端子２３以外の端子に接続する。結合部２９は分割部と波形部とを有する。波形部は分割部の分割された部分を連結する。【選択図】図１
2019192411.tif 000002
【特許請求の範囲】
【請求項１】
筐体の外表面に防振材を介して固定されているリレーと、
前記リレーの接点端子に接続される平板状の第１の端子部、前記第１の端子部に電気的に結合し且つ前記筐体の表面に対する該接点端子の高さ位置とは異なる高さ位置で該接点端子以外の端子に接続される第２の端子部、ならびに板面に平行な延伸方向において分割された平板状の分割部および前記分割部の板面に垂直な２方向のいずれかに隆起した波形状であり且つ前記分割された分割部を連結する波形部を含む少なくとも１つの結合部を有する補機用バスバと、を備え、
前記第１の端子部は、前記分割部の分割された第１の部分側から、前記の結合部に電気的に結合し、
前記第２の端子部は、前記第１の部分よりも前記延伸方向側の第２の部分側から、前記結合部に電気的に結合する
電池装置。
【請求項２】
板面に平行な延伸方向において分割された平板状の分割部と、前記分割部の板面に垂直な２方向のいずれかに隆起した波形状であり、前記分割された分割部を連結する波形部と、を有する、少なくとも１つの結合部と、
前記分割部の分割された第１の部分側から、前記の結合部に電気的に結合する平板状の第１の端子部と、
前記第１の部分よりも前記延伸方向側の第２の部分側から、前記結合部に電気的に結合する平板状の第２の端子部と、を備える
バスバ。
【請求項３】
請求項２に記載のバスバにおいて、
前記第１の端子部および前記第２の端子部は、平行である
バスバ。
【請求項４】
請求項２または３に記載のバスバにおいて、
前記第１の端子部および前記第２の端子部は、非平行である
バスバ。
【請求項５】
請求項２から４のいずれか１項に記載のバスバにおいて、
前記結合部は、１以上の前記波形部を有する
バスバ。
【請求項６】
請求項２から５のいずれか１項に記載のバスバにおいて、
前記結合部は、２以上の前記波形部を有し、
前記分割部の分割された少なくとも１つの部分は、該２以上の波形部の中の２つの波形部と直結する
バスバ。
【請求項７】
請求項２から５のいずれか１項に記載のバスバにおいて、
前記結合部は、２以上の前記波形部を有し、
該２以上の波形部の中の２つの波形部は直結する
バスバ。
【請求項８】
請求項２から７のいずれか１項に記載のバスバにおいて、
前記結合部は、２以上の前記波形部を有し、
前記延伸方向における前記波形部の間隔は等しい
バスバ。
【請求項９】
請求項２から７のいずれか１項に記載のバスバにおいて、
前記結合部は、２以上の前記波形部を有し、
前記延伸方向における前記波形部の間隔は異なる
バスバ。
【請求項１０】
請求項２から９のいずれか１項に記載のバスバにおいて、
前記結合部は、２以上の前記波形部を有し、
前記波形部は、前記分割部の板面に垂直な同じ方向に隆起する
バスバ。
【請求項１１】
請求項１０に記載のバスバにおいて、
前記分割部は前記第１の端子部と平行であり、
前記波形部は、前記第１の端子部に垂直な方向において、前記第１の端子部から前記第２の端子部の接続位置側または該接続位置の逆側に隆起する。
バスバ。
【請求項１２】
請求項２から９のいずれか１項に記載のバスバにおいて、
前記結合部は、２以上の前記波形部を有し、
前記波形部は、前記分割部の板面に垂直な異なる方向に隆起している
バスバ。
【請求項１３】
請求項２から１２のいずれか１項に記載のバスバにおいて、
前記結合部は、２以上の前記波形部を有し、
前記波形部の、前記分割部の板面に垂直な方向における、該板面からの長さは等しい
バスバ。
【請求項１４】
請求項２から１２のいずれか１項に記載のバスバにおいて、
前記結合部は、２以上の前記波形部を有し、
前記波形部の、前記分割部の板面に垂直な方向における、前記分割部の板面からの長さは異なる
バスバ。
【請求項１５】
請求項２から１４のいずれか１項に記載のバスバにおいて、
前記第１の端子部の板面に垂直な方向において、前記第１の端子部および前記第２の端子部はそれぞれ異なる接続位置で外部の端子と接続し、
前記第１の端子部の板面に垂直な方向において、前記第１の端子部および前記第２の端子部それぞれの前記接続位置の間に、前記波形部全体が含まれる
バスバ。
【請求項１６】
請求項２または３に記載のバスバにおいて、
前記第１の端子部と同一平面上で直結する平板部分を少なくとも有する第１の連結部と、前記第１の連結部の平板部分に直交する平板状の第２の連結部と、前記第２の端子部と同一平面上で直結する平板部分を少なくとも有し且つ該平板部分において前記第２の連結部に直交する第３の連結部とを、さらに備え、
前記第１の連結部は、前記結合部と、前記第１の部分の前記延伸方向の逆方向側の末端近傍における前記延伸方向に板面内で垂直な面内垂直方向側に延びる平板状の第１の延伸部と、前記第２の部分の前記延伸方向側の末端近傍における前記面内垂直方向の逆方向側に延びる平板状の第２の延伸部とを有し、前記第１の延伸部は前記面内垂直方向側の末端において前記第１の端子部に直結し、前記第２の延伸部は前記面内垂直方向の逆方向側の末端において前記第２の連結部に直結し、
前記第２の連結部は該末端から前記第２の延伸部に垂直な一方向に延び、前記面内垂直方向に垂直であり、前記垂直な一方向側の末端において前記第３の連結部に直結し、
前記第３の連結部は該末端から前記面内垂直方向の逆方向側に延び、該逆方向側の末端において第２の端子部に直結する
バスバ。
【請求項１７】
請求項２または３に記載のバスバにおいて、
前記第１の端子部と同一平面上で直結する平板部分を少なくとも有する第１の連結部と、前記第１の連結部の平板部分に直交する平板状の第２の連結部と、前記第２の端子部と同一平面上で直結する平板部分を少なくとも有し且つ該平板部分において前記第２の連結部に直交する第３の連結部とを、さらに備え、
前記第３の連結部は、前記結合部と、前記第２の部分の前記延伸方向側の末端近傍における前記延伸方向に板面内で垂直な面内垂直方向側に延びる平板状の第３の延伸部とを有し、前記第１の部分の前記延伸方向の逆方向側の末端において前記第２の連結部に直結し、前記第３の延伸部の前記面内垂直方向側の末端において前記第２の端子部に直結し、
前記第２の連結部は、前記第１の部分から前記第１の部分に垂直な一方向に延び、前記延伸方向に垂直であり、該垂直な一方向側の末端において前記第１の連結部に直結し、
前記第１の連結部は、該末端から前記面内垂直方向の逆方向および前記延伸方向に延び、該逆方向側の末端において前記第１の端子部に直結する
バスバ。
【請求項１８】
請求項２または３に記載のバスバにおいて、
前記第１の端子部と同一平面上で直結する平板部分を少なくとも有する第１の連結部と、前記第１の連結部の平板部分に直交する平板状の第２の連結部と、前記第２の端子部と同一平面上で直結する平板部分を少なくとも有し且つ該平板部分において前記第２の連結部に直交する第３の連結部とを、さらに備え、
前記第１の連結部は前記結合部を有し、前記第１の部分の前記延伸方向の逆方向側の末端において前記第１の端子部に直結し、前記第２の部分の前記延伸方向側の末端近傍における前記延伸方向に板面内で垂直な面内垂直方向側において前記第２の連結部に直結し、
前記第２の連結部は前記第２の部分から前記第２の部分に垂直な一方向に延び、前記面内垂直方向に垂直であり、該垂直な一方向側の末端において前記第３の連結部に直結し、
前記第３の連結部は前記第２の連結部から前記面内垂直方向の逆方向に延び、該逆方向側の末端において前記第２の端子部に直結する
バスバ。
【請求項１９】
請求項２または３に記載のバスバにおいて、
前記第１の端子部と同一平面上で直結する平板部分を少なくとも有する第１の連結部と、前記第１の連結部の平板部分に直交する平板状の第２の連結部と、前記第２の端子部と同一平面上で直結する平板部分を少なくとも有し且つ該平板部分において前記第２の連結部に直交する第３の連結部とを、さらに備え、
前記第１の連結部は前記結合部を有し、該結合部の前記第１の部分の前記延伸方向の逆方向側の末端において前記第１の端子部に直結し、該結合部の前記第２の部分の前記延伸方向側の末端近傍における前記延伸方向に板面内で垂直な面内垂直方向側において前記第２の連結部に直結し、
前記第２の連結部は前記第２の部分から前記第２の部分に垂直な一方向に延び、前記面内垂直方向に垂直であり、該垂直な一方向側の末端において前記第３の連結部に直結し、
前記第３の連結部は別の前記結合部を含み、該別の結合部における前記第１の部分の延伸方向の逆方向側の末端において前記第２の連結部に直結し、該別の結合部における前記第２の部分の前記延伸方向側の末端において前記第２の端子部に直結する
バスバ。
【請求項２０】
請求項２または３に記載のバスバにおいて、
前記第１の端子部と同一平面上で直結する平板部分を少なくとも有する第１の連結部と、前記第１の連結部の平板部分に直交する平板状の第２の連結部と、前記第２の端子部と同一平面上で直結する平板部分を少なくとも有し且つ該平板部分において前記第２の連結部に直交する第３の連結部とを、さらに備え、
前記第３の連結部は前記結合部を有し、前記第１の部分の前記延伸方向の逆方向側の末端において前記第２の連結部に直結し、前記第２の部分の前記延伸方向側の末端において前記第２の端子部に直結し、
前記第２の連結部は前記第１の部分から前記第１の部分に垂直な一方向に延び、前記延伸方向に垂直であり、該垂直な一方向側の末端において前記第１の連結部に直結し、
前記第１の連結部は、前記延伸方向に前記分割部の板面内で垂直な面内垂直方向と前記延伸方向とに延び、前記面内垂直方向側の末端において前記第１の端子部に直結する
バスバ。
【請求項２１】
請求項２または３に記載のバスバにおいて、
前記第１の端子部と同一平面上で直結する平板部分を少なくとも有する第１の連結部と、前記第１の連結部の平板部分に直交する平板状の第２の連結部と、前記第２の端子部と同一平面上で直結する平板部分を少なくとも有し且つ該平板部分において前記第２の連結部に直交する第３の連結部とを、さらに備え、
前記第３の連結部は前記結合部を有し、前記第１の部分は前記延伸方向の逆方向側の末端において前記第２の連結部に直結し、前記第２の部分の前記延伸方向側の末端近傍における前記延伸方向に板面内で垂直な面内垂直方向側において前記第２の端子部に直結し、
前記第２の連結部は、前記第１の部分から前記第１の部分に垂直な一方向に延び、前記延伸方向に垂直であり、該垂直な一方向側の末端において前記第１の連結部に直結し、
前記第１の連結部は、該末端から前記延伸方向の逆方向に延び、該逆方向側の末端において前記第１の端子部に直結する
バスバ。
【発明の詳細な説明】
【技術分野】
【０００１】
本発明は、電池装置およびバスバに関するものである。
【背景技術】
【０００２】
例えば、車両用の電池装置は、セル、およびリレーなどの補機を含んで構成されている。セル同士の電気的な接続（特許文献１参照）、セルおよび補機の電気的な接続、および補機同士の電気的な接続にバスバが用いられている。
【先行技術文献】
【特許文献】
【０００３】
【特許文献１】特開２０１３−０１２４６４号公報
【発明の概要】
【発明が解決しようとする課題】
【０００４】
電池装置においては、通電および遮断の切替時に発するリレー音を低減させることが求められている。リレーは、バスバを介して他の部品に機械的に接続されるので、バスバがリレー音を伝達することもある。
【０００５】
かかる事情に鑑みてなされた本発明の目的は、リレー音の大きさを低減する電池装置およびバスバを提供することにある。
【課題を解決するための手段】
【０００６】
上記課題を解決するために本発明の第１の観点に係る車両用の電池装置は、
筐体の外表面に防振材を介して固定されているリレーと、
前記リレーの接点端子に接続される平板状の第１の端子部、前記第１の端子部に電気的に結合し且つ前記筐体の表面に対する該接点端子の高さ位置とは異なる高さ位置で該接点端子以外の端子に接続される第２の端子部、ならびに板面に平行な延伸方向において分割された平板状の分割部および前記分割部の板面に垂直な２方向のいずれかに隆起した波形状であり且つ前記分割された分割部を連結する波形部を含む少なくとも１つの結合部を有する補機用バスバと、を備え、
前記第１の端子部は、前記分割部の分割された第１の部分側から、前記の結合部に電気的に結合し、
前記第２の端子部は、前記第１の部分よりも前記延伸方向側の第２の部分側から、前記結合部に電気的に結合する。
【０００７】
上記課題を解決するために本発明の第２の観点に係るバスバは、
板面に平行な延伸方向において分割された平板状の分割部と、前記分割部の板面に垂直な２方向のいずれかに隆起した波形状であり、前記分割された分割部を連結する波形部と、を有する、少なくとも１つの結合部と、
前記分割部の分割された第１の部分側から、前記の結合部に電気的に結合する平板状の第１の端子部と、
前記第１の部分よりも前記延伸方向側の第２の部分側から、前記結合部に電気的に結合する平板状の第２の端子部と、を備える。
【発明の効果】
【０００８】
本発明によれば、リレー音の大きさを低減する電池装置およびバスバを提供可能である。
【図面の簡単な説明】
【０００９】
【図１】本発明の第１の実施形態に係る電池装置の外観を示す斜視図である。
【図２】図１の電池装置の概略構成を示す機能ブロック図である。
【図３】図１の電池装置の上面図である。
【図４】図１の第１のバスバの外観を示す斜視図である。
【図５】図１の第２のバスバの外観を示す斜視図である。
【図６】図１の第３のバスバの外観を示す斜視図である。
【図７】図４の第１のバスバの変形例の外観を示す斜視図である。
【図８】図４の第１のバスバの別の変形例の外観を示す斜視図である。
【図９】図４の第１のバスバのさらに別の変形例の外観を示す斜視図である。
【図１０】図６の第３のバスバの変形例の外観を示す斜視図である。
【図１１】図６の第３のバスバの別の変形例の外観を示す斜視図である。
【発明を実施するための形態】
【００１０】
以下、本発明を適用した電池装置の実施形態について、図面を参照して説明する。
【００１１】
図１に示すように、本発明の第１の実施形態に係る電池装置１０は、リレー部１１および補機用バスバ１２を含む。電池装置１０は、さらに、筐体１３、ヒュージブルリンク１４、および出力端子用バスバ１５を含む。
【００１２】
リレー部１１は、少なくとも１つのリレーを含む。リレー部１１は、具体的には、第１のリレー１６および第２のリレー１７を有する。以下の説明において、第１のリレー１６および第２のリレー１７を特に区別しない限り、リレー１８と記載する。なお、リレー部１１は、３個以上のリレーを有してもよい。
【００１３】
図２に示すように、リレー１８は、組電池１９に直列に接続されている。具体的には、組電池１９、第１のリレー１６、および第２のリレー１７は、この順番で直列に接続されている。なお、第１のリレー１６、組電池１９、および第２のリレー１７は、この順番で直列に接続されてもよい。
【００１４】
リレー１８は、コントローラ２０の制御に基づいて、遮断状態と通電状態とを切替える。電池装置１０は、第１のリレー１６および第２のリレー１７の少なくとも一方を遮断状態に切替えることにより、電力の出力を停止する。電池装置１０は、第１のリレー１６および第２のリレー１７を通電状態に切替えることにより、電力を出力する。
【００１５】
図１に示すように、リレー１８は、筐体１３の外表面に、防振材２１を介して固定されている。防振材２１は、例えば、ポリウレタンのように弾性を有する材料で形成されている。防振材２１の固定のために、筐体１３の外表面に、例えば、略矩形の枠２２が形成されている。枠２２の一部には、リレー１８のコイル端子に接続する信号線または補機用バスバ１２などを挿通させる切欠きが形成されている。防振材２１は全体が直方体形状で、枠２２に嵌込まれている。リレー１８を防振材２１に形成される陥凹部に嵌込むことにより、筐体１３は、防振材２１を介してリレー１８を固定する。
【００１６】
筐体１３は、具体的には、全体的に略直方体形状である。筐体１３の外表面において面積が最大である面が底面に定められ、底面の反対側の面が上面ｕｓに定められている。第１のリレー１６および第２のリレー１７は、具体的には、筐体１３の上面ｕｓに設けられている。なお、第１のリレー１６および第２のリレー１７の少なくとも一方は、筐体１３の上面ｕｓ以外の外表面に設けられていてもよい。
【００１７】
図３に示すように、第１のリレー１６および第２のリレー１７が、例えば、筐体１３の上面ｕｓの長辺方向に沿って並ぶように配置されている。第１のリレー１６は、例えば、２つの接点端子２３同士を結ぶ方向が長辺方向に垂直となるように配置されている。第２のリレー１７は、例えば、２つの接点端子２３同士を結ぶ方向が長辺方向に平行となるように配置されている。なお、第１のリレー１６は、２つの接点端子２３同士を結ぶ方向が短辺方向と交差するように配置されていてもよい。第２のリレー１７は、２つの接点端子２３同士を結ぶ方向が長辺方向と交差するように配置されていてもよい。
【００１８】
図１に示すように、補機用バスバ１２は、リレー１８に接続されている。補機用バスバ１２は、具体的には、第１のバスバ２４、第２のバスバ２５、および第３のバスバ２６のいずれかである。以下の説明において、第１のバスバ２４、第２のバスバ２５、および第３のバスバ２６を特に区別しない限り、補機用バスバ１２と記載する。第１のバスバ２４は、組電池１９および第１のリレー１６を電気的に接続する。第２のバスバ２５は、第１のリレー１６および第２のリレー１７を電気的に接続する。第３のバスバ２６は、第２のリレー１７およびヒュージブルリンク１４を電気的に接続する。
【００１９】
補機用バスバ１２は、例えば、銅、アルミニウムなどの剛性および電導性の大きな材料によって形成されている。補機用バスバ１２は、以下に説明するように、複数の、平板状の部分によって構成されており、板厚は、振動を減衰させ得る、例えば、１ｍｍ〜３ｍｍの厚さである。
【００２０】
補機用バスバ１２は、第１の端子部２７、第２の端子部２８、および結合部２９を有する。図４から６に示すように、補機用バスバ１２は、具体的には、第１の端子部２７と、第２の端子部２８と、結合部２９をいずれかに含む、第１の連結部３４ａ、３４ｂ、３４ｃ、第２の連結部３５ａ、３５ｂ、３５ｃ、および第３の連結部３６ａ、３６ｂ、３６ｃとを有する。
【００２１】
第１の端子部２７および第２の端子部２８は、例えば、結合部２９に結合することにより、互いに電気的に結合する。第１の端子部２７は、平板状であって、図１に示すように、リレー１８の接点端子２３に接続されている。第２の端子部２８は、平板状であって、第１の端子部２７とは異なる高さ位置で、当該リレー１８の接点端子２３以外の端子に接続されている。高さ位置は、筐体１３の外表面を基準とする。したがって、第１の端子部２７の板面に垂直な方向における、第２の端子部２８の当該端子との接続位置は、第１の端子部２７の接点端子２３との接続位置と異なる。
【００２２】
例えば、筐体１３が、補機用バスバ１２に接続される１組の端子の外表面からの高さ位置を相違させる。筐体１３は、具体的には、第１のリレー１６および第２のリレー１７の接点端子２３の外表面からの高さ位置が相違するように、第１のリレー１６および第２のリレー１７を保持する。筐体１３は、具体的には、第１のリレー１６の接点端子２３、および、組電池１９の第１の出力端子３０の外表面からの高さ位置が相違するように、第１のリレー１６を保持する。筐体１３は、具体的には、第２のリレー１７の接点端子２３およびヒュージブルリンク１４の端子の外表面からの高さ位置が相違するように、第２のリレー１７およびヒュージブルリンク１４を保持する。
【００２３】
第１の端子部２７および第２の端子部２８は、具体的には、互いに平行である。前述の第１の端子部２７および第２の端子部２８の接続位置の関係から、第１の端子部２７および第２の端子部２８は同一平面上に無い。なお、第１の端子部２７および第２の端子部２８は、互いに非平行であってもよい。
【００２４】
第１のバスバ２４の第１の端子部２７および第２の端子部２８は、それぞれ、第１のリレー１６の一方の接点端子２３および組電池１９の第１の出力端子３０に接続されている。第２のバスバ２５の第１の端子部２７および第２の端子部２８は、それぞれ、第１のリレー１６の他方の接点端子２３および第２のリレー１７の一方の接点端子２３に接続されている。第３のバスバ２６の第１の端子部２７および第２の端子部２８は、それぞれ、第２のリレー１７の他方の接点端子２３およびヒュージブルリンク１４の一方の端子に接続されている。組電池１９は、コントローラ２０とともに筐体１３内部に収容されている。組電池１９の第１の出力端子３０は、筐体１３の一部に穿設された孔から露出する。
【００２５】
リレー１８の接点端子２３、ヒュージブルリンク１４の端子、および組電池１９の第１の出力端子３０は平面形状を有する。第１の端子部２７は、リレー１８の接点端子２３に面接触する。第１のバスバ２４、第２のバスバ２５、および第３のバスバ２６の第２の端子部２８は、それぞれ組電池１９の第１の出力端子３０、第２のリレー１７の接点端子２３、およびヒュージブルリンク１４の端子に面接触する。
【００２６】
第１の端子部２７およびリレー１８の接点端子２３の接合のために、第１の端子部２７および接点端子２３には、例えば、孔が穿設されている。筐体１３の上面ｕｓにおけるリレー１８の接点端子２３が配置される孔の位置には、雌ネジが形成されている。
【００２７】
第２の端子部２８と、組電池１９の第１の出力端子３０、第１のリレー１６の接点端子２３、およびヒュージブルリンク１４の端子のいずれかとの接合のために、第２の端子部２８、組電池１９の第１の出力端子３０、第１のリレー１６の接点端子２３、およびヒュージブルリンク１４の端子には、例えば、孔が穿設されている。筐体１３の上面ｕｓにおける、第１の出力端子３０、第１のリレー１６の接点端子２３、およびヒュージブルリンク１４が配置される孔の位置には、雌ネジが形成されている。
【００２８】
第１のバスバ２４は、第１の端子部２７および第２の端子部２８それぞれの孔が第１のリレー１６の一方の接点端子２３および組電池１９の第１の出力端子３０の孔に重なるように載置されている。この状態で、筐体１３の雌ネジに同一方向から雄ネジを締結することにより、第１の端子部２７および第２の端子部２８は、それぞれ第１のリレー１６の一方の接点端子２３および組電池１９の第１の出力端子３０と接合する。第１の端子部２７および第２の端子部２８が非平行である構成においては、第１の端子部２７および第２の端子部２８の位置において筐体１３の雌ネジに別方向から雄ネジを締結することにより、第１の端子部２７および第２の端子部２８は、それぞれ第１のリレー１６の一方の接点端子２３および組電池１９の第１の出力端子３０と接合する。
【００２９】
第２のバスバ２５は、第１の端子部２７および第２の端子部２８それぞれの孔が第１のリレー１６の他方の接点端子２３および第２のリレー１７の一方の接点端子２３それぞれの孔に重なるように載置されている。この状態で、筐体１３の雌ネジに雄ネジを締結することにより、第１の端子部２７および第２の端子部２８は、それぞれ第１のリレー１６の他方の接点端子２３および第２のリレー１７の一方の接点端子２３と接合する。第１の端子部２７および第２の端子部２８が非平行である構成においては、第１の端子部２７および第２の端子部２８の位置において筐体１３の雌ネジに別方向から雄ネジを締結することにより、第１の端子部２７および第２の端子部２８は、それぞれ第１のリレー１６の他方の接点端子２３および第２のリレー１７の一方の接点端子２３と接合する。
【００３０】
第３のバスバ２６は、第１の端子部２７および第２の端子部２８それぞれの孔が第２のリレー１７の他方の接点端子２３およびヒュージブルリンク１４の一方の端子それぞれの孔に重なるように載置されている。この状態で、筐体１３の雌ネジに雄ネジを締結することにより、第１の端子部２７および第２の端子部２８は、それぞれ第２のリレー１７の他方の接点端子２３およびヒュージブルリンク１４の一方の端子と接合する。第１の端子部２７および第２の端子部２８が非平行である構成においては、第１の端子部２７および第２の端子部２８の位置において筐体１３の雌ネジに別方向から雄ネジを締結することにより、第１の端子部２７および第２の端子部２８は、それぞれ第２のリレー１７の他方の接点端子２３およびヒュージブルリンク１４の一方の端子と接合する。
【００３１】
ヒュージブルリンク１４の他方の端子は、出力端子用バスバ１５により電池装置１０の第１の出力端子３１に電気的に接続されている。ヒュージブルリンク１４は、大電流通電時のジュール熱に伴う昇温により溶断する。組電池１９の第２の出力端子３２は、出力端子用バスバ１５により電池装置１０の第２の出力端子３３に電気的に接続されている。
【００３２】
図４から６に示すように、結合部２９は、分割部３７および波形部３８を有する。
【００３３】
分割部３７は、平板状である。分割部３７は、板面に平行な延伸方向において複数の部分に分割されている。以後の補機用バスバ１２の説明において、特に区別の無い限り、延伸方向は、分割部３７の延伸方向を意味する。分割部３７は、具体的には、矩形であり、長辺方向において複数の部分に分割されている。分割部３７は、延伸方向において少なくとも２つに分割されている。
【００３４】
波形部３８は、分割部３７の板面に垂直な２方向の少なくともいずれかに隆起する波形状である。波形部３８は、分割部３７の分割された部分同士を連結する。図４から６に例示するように、分割部３７が２つの部分に分割されている構成において、１つの波形部３８が分割部３７の分割された部分を連結する。
【００３５】
図４の第１のバスバ２４として例示するように、補機用バスバ１２の波形部３８は、第１の端子部２７から第２の端子部２８の接続位置側に隆起してよい。または、図５、６それぞれの第２のバスバ２５および第３のバスバ２６として例示するように、補機用バスバ１２の波形部３８は、第１の端子部２７から第２の端子部２８の接続位置とは逆側に隆起してよい。
【００３６】
図４の第１のバスバ２４として例示するように、補機用バスバ１２では、第１の端子部２７の板面に垂直な方向において、第１の端子部２７および第２の端子部２８それぞれの接続位置の間に、波形部３８全体が含まれる。前述のように、第１の端子部２７および第２の端子部２８は平行であり、それぞれの外部（リレー１８、ヒュージブルリンク１４、電池装置１０）の端子との接続位置は、第１の端子部２７および第２の端子部２８の板面である。波形部３８は第１の端子部２７および第２の端子部２８それぞれの板面の間に含まれている。
【００３７】
前述のように、結合部２９は、第１の連結部３４ａ、３４ｂ、３４ｃ、第２の連結部３５ａ、３５ｂ、３５ｃ、および第３の連結部３６ａ、３６ｂ、３６ｃの少なくとも１つに含まれている。図４から６に示すように、第１の連結部３４ａ、３４ｂ、３４ｃは、第１の端子部２７と同一平面上で当該第１の端子部２７に直結する平板部分を少なくとも有する。第２の連結部３５ａ、３５ｂ、３５ｃは平板状であって、第１の連結部３４ａ、３４ｂ、３４ｃの平板部分に直交する。第３の連結部３６ａ、３６ｂ、３６ｃは、第２の端子部２８と同一平面上で当該第２の端子部２８に直結する平板部分を少なくとも有し、当該平板部分において第２の連結部３５ａ、３５ｂ、３５ｃに直交する。
【００３８】
図４に示す、本実施形態における第１のバスバ２４では、第１の連結部３４ａが、第１の延伸部３９および第２の延伸部４０とともに、結合部２９を有する。
【００３９】
第１の延伸部３９は、平板状である。第１の延伸部３９は、結合部２９における第１の部分４１の延伸方向の逆方向側の末端近傍から、延伸方向に板面内で垂直な面内垂直方向に延びる。以後の補機用バスバ１２の説明において、特に区別の無い限り、面内垂直方向は、分割部３７の面内垂直方向を意味する。結合部２９における第１の部分４１は、分割部３７の分割された部分の中の１つであり、例えば、延伸方向の逆方向側の端の部分である。第１の延伸部３９は、延伸方向および面内垂直方向に平行な辺を有する略矩形である。
【００４０】
第２の延伸部４０は、平板状である。第２の延伸部４０は、結合部２９における第２の部分４２の延伸方向の末端近傍から、面内垂直方向の逆方向側に延びる。結合部２９における第２の部分４２は、分割部３７の分割された部分の中で、第１の部分４１よりも延伸方向側の部分であり、例えば、延伸方向側の端の部分である。第２の延伸部４０は、延伸方向および面内垂直方向に平行な辺を有する略矩形である。
【００４１】
図４に示す、本実施形態における第１のバスバ２４では、第２の連結部３５ａは、第２の延伸部４０と、第２の延伸部４０の面内垂直方向の逆方向側の末端において直結する。第２の連結部３５ａは、第２の延伸部４０の当該末端から第２の延伸部４０に垂直な一方向、具体的には第２の延伸部４０の板面から第２の端子部２８の板面に向かう方向に延びる。第２の連結部３５ａは、面内垂直方向に垂直である。第２の連結部３５ａは、延伸方向に平行な辺を有する略矩形である。
【００４２】
図４に示す、本実施形態における第１のバスバ２４では、第３の連結部３６ａは、第２の連結部３５ａと、第２の連結部３５ａが延びる第２の延伸部４０に垂直な一方向側の末端において、直結する。第３の連結部３６ａは、当該末端から面内垂直方向の逆方向側に延びる。第３の連結部３６ａは、延伸方向および面内垂直方向に平行な辺を有する略矩形である。
【００４３】
図５に示す、本実施形態における第２のバスバ２５では、第３の連結部３６ｂが、結合部２９を有する。
【００４４】
図５に示す、本実施形態における第２のバスバ２５では、第２の連結部３５ｂは、結合部２９の第１の部分４１と、分割部３７の延伸方向の逆方向側の末端において直結する。第２の連結部３５ｂは、第１の部分４１から、第１の部分４１に垂直な一方向、具体的には第１の部分４１の板面から第１の端子部２７の板面に向かう方向に延びる。第２の連結部３５ｂは、延伸方向に垂直である。第２の連結部３５ｂは、面内垂直方向に平行な辺を有する略矩形である。
【００４５】
図５に示す、本実施形態における第２のバスバ２５では、第１の連結部３４ｂは、第２の連結部３５ｂと、第２の連結部３５ｂが延びる第１の部分４１に垂直な一方向側の末端において直結する。第１の連結部３４ｂは、当該一方向側の末端から、延伸方向の逆方向に延びる。第１の連結部３４ｂは、延伸方向および面内垂直方向に平行な辺を有する略矩形である。
【００４６】
図６に示す、本実施形態における第３のバスバ２６では、第１の連結部３４ｃが、結合部２９を有する。
【００４７】
図６に示す、本実施形態における第３のバスバ２６では、第２の連結部３５ｃは、結合部２９の第２の部分４２と、延伸方向側の末端近傍の、面内垂直方向側において直結する。第２の連結部３５ｃは、第２の部分４２から、第２の部分４２に垂直な一方向、具体的には第２の部分４２の板面から第２の端子部２８の板面に向かう方向に延びる。第２の連結部３５ｃは、面内垂直方向に垂直である。第２の連結部３５ｃは、延伸方向に平行な辺を有する略矩形である。
【００４８】
図６に示す、本実施形態における第３のバスバ２６では、第３の連結部３６ｃは、第２の連結部３５ｃと、第２の連結部３５ｃが延びる第２の部分４２に垂直な一方向側の末端において直結する。第３の連結部３６ｃは、第２の連結部３５ｃから面内垂直方向の逆方向に延びる。第３の連結部３６ｃは、延伸方向および面内垂直方向に平行な辺を有する略矩形である。
【００４９】
図４から６に示すように、第１の端子部２７は、分割部３７の分割された第１の部分４１側から結合部２９に電気的に結合する。前述のように、第１の部分４１は、分割部３７の分割された複数の部分の中の一部分であって、例えば、延伸方向の逆側の端の部分である。
【００５０】
図４に示す本実施形態における第１のバスバ２４では、具体的には、第１の端子部２７は、第１の延伸部３９と、第１の延伸部３９の面内垂直方向側の末端において直結する。第１の端子部２７は、第１の延伸部３９を介して、第１の部分４１側から結合部２９に結合する。
【００５１】
図５に示す本実施形態における第２のバスバ２５では、具体的には、第１の端子部２７は、第１の連結部３４ｂと、第１の連結部３４ｂの延伸方向の逆方向側の末端において直結する。第１の端子部２７は、第１の連結部３４ｂおよび第２の連結部３５ｂを介して、第１の部分４１側から結合部２９に結合する。
【００５２】
図６に示す本実施形態における第３のバスバ２６では、具体的には、第１の端子部２７は、第１の部分４１と、第１の部分４１の延伸方向の逆方向側の末端において直結する。
【００５３】
図４から６に示すように、第２の端子部２８は、分割部３７の分割された第２の部分４２側から結合部２９に電気的に結合する。前述のように、第２の部分４２は、分割部３７の分割された複数の部分の中で、第１の部分４１よりも延伸方向側の部分であって、例えば、延伸方向側の端の部分である。
【００５４】
図４に示す本実施形態における第１のバスバ２４では、具体的には、第２の端子部２８は、第３の連結部３６ａと、第３の連結部３６ａの面内垂直方向の逆方向側の末端において、直結する。第２の端子部２８は、第３の連結部３６ａ、第２の連結部３５ａ、および第２の延伸部４０を介して、第２の部分４２側から結合部２９に結合する。
【００５５】
図５に示す本実施形態における第２のバスバ２５では、具体的には、第２の端子部２８は、第２の部分４２と、第２の部分４２の延伸方向側の末端近傍における面内垂直方向側において、直結する。
【００５６】
図６に示す本実施形態における第３のバスバ２６では、具体的には、第２の端子部２８は、第３の連結部３６ｃと、第３の連結部３６ｃの面内垂直方向の逆方向側の末端において直結する。第２の端子部２８は、第３の連結部３６ｃおよび第２の連結部３５ｃを介して、第２の部分４２側から結合部２９に結合する。
【００５７】
以上のような本実施形態に係る電池装置１０は、筐体１３の外表面に防振材２１を介して固定されているリレー１８と、リレー１８の接点端子２３に接続される第１の端子部２７、第１の端子部２７とは異なる高さ位置で当該接点端子２３以外の端子に接続される第２の端子部２８、ならびに分割部３７および波形部３８を含む少なくとも１つの結合部２９とを有する補機用バスバ１２とを含む。電池装置１０は、防振材２１を介して筐体１３にリレー１８が固定されているので、遮断状態および通電状態の切替え時にリレー１８に発する振動を防振材２１において減衰させ得る。また、電池装置１０は、第１の端子部２７および第２の端子部２８が異なる高さ位置で接続されているので、第１の端子部２７および第２の端子部２８を同一平面上で接続させる構成に比べて、補機用バスバ１２の電導経路に沿った第１の端子部２７および第２の端子部２８の間隔を長尺化し得る。したがって、電池装置１０は、従来のバスバに比べて長尺化された補機用バスバ１２により、リレー１８が発する振動を他の端子に伝達する間に、より大きく減衰させ得る。また、電池装置１０は、波形部３８を介して分割部３７を連結することにより補機用バスバ１２の電動経路をさらに長尺化し得、また、波形部３８の屈曲部分は平板より振動を大きく減衰させるので、振動を他の端子に伝達する間にさらに大きく減衰し得る。このように、電池装置１０は、リレー１８が発する振動を減衰させるので、振動に伴うリレー音の大きさを低減し得る。
【００５８】
また、本実施形態に係る補機用バスバ１２では、波形部３８全体は、第１の端子部２７の板面に垂直な方向において、第１の端子部２７および第２の端子部２８それぞれの接続位置の間に含まれうる。このような構成により、補機用バスバ１２は、第１の端子部２７の板面に垂直な方向における全体のサイズを小型化し得る。
【００５９】
本発明は、その精神又はその本質的な特徴から離れることなく、上述した実施形態以外の他の所定の形態で実現できることは当業者にとって明白である。したがって、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【００６０】
例えば、本実施形態において、結合部２９は１つの波形部３８を有するが、波形部３８の数は１に限定されない。例えば、図７、８の変形例の第１のバスバ２４０、２４１として例示するように、３以上の部分に分割された分割部３７０、３７１の部分同士を連結するように、波形部３８の数は２以上であってよい。
【００６１】
第１のバスバ２４０、２４１として例示するように、結合部２９０、２９１が２以上の波形部３８を有する構成において、分割部３７０、３７１の分割された少なくとも１つの中間部分４３０は、２以上の波形部３８の中の２つの波形部３８と直結する。中間部分４３０は、分割部３７０、３７１の分割された延伸方向における両端の第１の部分４１および第２の部分４２の間の部分である。なお、第１のバスバ２４０、２４１では、２つの波形部３８が中間部分４３０を間に挟む構成であるが、中間部分４３０を省いて、２つの波形部３８が直結してもよい。
【００６２】
第１のバスバ２４０、２４１として示すように、結合部２９０、２９１が２以上の波形部３８を有する構成において、２以上の波形部３８の延伸方向における間隔は等しい。波形部３８の延伸方向における間隔とは、延伸方向における板面からの隆起が始まる位置から隆起が終る位置までの間の間隔である。なお、２以上の波形部３８の延伸方向における間隔は異なってもよい。
【００６３】
図７に変形例の第１のバスバ２４０として例示するように、結合部２９０が２以上の波形部３８を有する構成において、２以上の波形部３８は、分割部３７０の板面に垂直な同じ方向に隆起する。または、図８に変形例の第１のバスバ２４１として例示するように、２以上の波形部３８は、分割部３７１の板面に垂直な異なる方向に隆起してもよい。
【００６４】
図７、８に変形例の第１のバスバ２４０、２４１として示すように、結合部２９０、２９１が２以上の波形部３８を有する構成において、２以上の波形部３８の高さ、すなわち分割部３７０、３７１の板面に垂直な方向における当該板面からの長さは等しい。２以上の波形部３８の高さは異なっていてもよい。
【００６５】
図４から６に示すように、本実施形態において、補機用バスバ１２では、第１の連結部３４ａ、３４ｂ、３４ｃ、第２の連結部３５ａ、３５ｂ、３５ｃ、および第３の連結部３６ａ、３６ｂ、３６ｃの中のいずれか特定の連結部が結合部２９を有する構成であるが、結合部２９を含む連結部は特定の連結部に限定されない。図９、１０それぞれの変形例の第１のバスバ２４２および第３のバスバ２６２に例示するように、本実施形態の補機用バスバ１２とは異なる連結部が結合部２９を含んでもよい。以下に、第１のバスバ２４２および第３のバスバ２６２の構成について詳細に説明する。
【００６６】
図９に示すように、第１のバスバ２４２は、本実施形態の第１のバスバ２４と同じく、第１の端子部２７、第２の端子部２８、第１の連結部３４２ａ、第２の連結部３５２ａ、および第３の連結部３６２ａを有する。第１の端子部２７および第２の端子部２８の構成は、本実施形態の第１のバスバ２４と同じである。
【００６７】
第１のバスバ２４２における第１の連結部３４２ａは、本実施形態の第１の連結部３４ａと同じく、第１の端子部２７と同一平面上で当該第１の端子部２７に直結する平板部分を少なくとも有する。第１のバスバ２４２における第２の連結部３５２ａは、本実施形態の第２の連結部３５ａと同じく、平板状であって、第１の連結部３４２ａの平板部分に直交する。第１のバスバ２４２における第３の連結部３６２ａは、本実施形態の第３の連結部３６ａと同じく、第２の端子部２８と同一平面上で当該第２の端子部２８に直結する平板部分を少なくとも有し、当該平板部分において第２の連結部３５２ａに直交する。
【００６８】
第１のバスバ２４２では、第３の連結部３６２ａが、第３の延伸部４３２とともに、結合部２９０を有する。第３の延伸部４３２は、結合部２９０の第２の部分４２の延伸方向側の末端近傍における面内垂直方向側に延びる平板状である。第３の延伸部４３２は、面内垂直方向側の末端において、第２の端子部２８に直結する。結合部２９０の第１の部分４１は、延伸方向の逆方向側の末端において第２の連結部３５２ａに直結する。
【００６９】
第１のバスバ２４２では、第２の連結部３５２ａは、結合部２９０の第１の部分４１から、第１の部分４１に垂直な一方向、具体的には第１の部分４１の板面から第１の端子部２７の板面に向かう方向に延びる。第２の連結部３５２ａは延伸方向に垂直である。第２の連結部３５２ａは、当該一方向側の末端において第１の連結部３４２ａに直結する。
【００７０】
第１のバスバ２４２では、第１の連結部３４２ａは、第２の連結部３５２ａが延びる第１の部分４１に垂直な一方向側の末端から、面内垂直方向の逆方向および延伸方向に延びる。第１の連結部３４２ａは、面内垂直方向の逆方向側の末端において、第１の端子部２７に直結する。
【００７１】
図１０に示すように、第３のバスバ２６２は、本実施形態の第３のバスバ２６と同じく、第１の端子部２７、第２の端子部２８、第１の連結部３４２ｃ、第２の連結部３５ｃ、および第３の連結部３６２ｃを有する。第１の端子部２７、第２の端子部２８、および第２の連結部３５ｃの構成は、本実施形態の第３のバスバ２６と同じである。
【００７２】
第３のバスバ２６２における第１の連結部３４２ｃは、本実施形態の第１の連結部３４ｃと同じく、第１の端子部２７と同一平面上で当該第１の端子部２７に直結する平板部分を少なくとも有する。第３のバスバ２６２における第３の連結部３６２ｃは、本実施形態の第３の連結部３６ｃと同じく、第２の端子部２８と同一平面上で当該第２の端子部２８に直結する平板部分を少なくとも有し、当該平板部分において第２の連結部３５ｃに直交する。
【００７３】
第３のバスバ２６２では、第３の連結部３６２ｃが、結合部２９を有する。第３の連結部３６２ｃは、結合部２９の第１の部分４１の延伸方向の逆方向側の末端において、第２の連結部３５ｃに直結する。第３の連結部３６２ｃは、結合部２９の第２の部分４２の延伸方向側の末端において、第２の端子部２８に直結する。
【００７４】
第３のバスバ２６２では、第２の連結部３５ｃは、前述のように、本実施形態の第２の連結部３５ｃと同じ構成である。したがって、第２の連結部３５ｃは、第１の部分４１から第１の部分４１に垂直な一方向、具体的には第１の部分４１の板面から第１の端子部２７の板面に向かう方向に延びる。また、第２の連結部３５ｃは、延伸方向に垂直である。また、第２の連結部３５ｃは、当該一方向側の末端において第１の連結部３４２ｃに直結する。
【００７５】
第３のバスバ２６２では、第１の連結部３４２ｃは、第２の連結部３５ｃが延びる第１の部分４１に垂直な一方向側の末端から、面内垂直方向および延伸方向に延びる。第１の連結部３４２ｃは、面内垂直方向側の末端において、第１の端子部２７に直結する。
【００７６】
図４から６に示すように、本実施形態において、補機用バスバ１２は単一の結合部２９を有するが、結合部２９の数は１に限定されない。図１１の変形例の第３のバスバ２６３に例示するように、補機用バスバ１２が２つの以上の結合部２９、２９３を有してもよい。以下に、第３のバスバ２６３の構成について詳細に説明する。
【００７７】
第３のバスバ２６３は、本実施形態の第３のバスバ２６と同じく、第１の端子部２７、第２の端子部２８、第１の連結部３４ｃ、第２の連結部３５ｃ、および第３の連結部３６３ｃを有する。第１の端子部２７、第２の端子部２８、第１の連結部３４ｃ、第２の連結部３５ｃの構成は、本実施形態の第３のバスバ２６と同じである。
【００７８】
第３の連結部３６３ｃの構成は、図１０に例示した第３のバスバ２６２と同じである。したがって、第３の連結部３６３ｃは、第１の連結部３４ｃに含まれる結合部２９とは別の結合部２９３を有する。別の結合部２９３が有する分割部３７３は、第２の連結部３５ｃと、第２の連結部３５ｃが延びる第２の部分４２に垂直な一方向側の末端において、直結する。分割部３７３は、第２の連結部３５ｃから結合部２９の面内垂直方向の逆方向に延びる。結合部２９の面内垂直方向は、別の結合部２９３の延伸方向と同じ方向である。したがって、別の結合部２９２における、第１の部分４１３は、延伸方向の逆方向側の末端において第２の連結部３５ｃに直結する。別の結合部２９３における、第２の部分４２３は、延伸方向側の末端において、第２の端子部２８に直結する。
【符号の説明】
【００７９】
１０  電池装置
１１  リレー部
１２  補機用バスバ
１３  筐体
１４  ヒュージブルリンク
１５  出力端子用バスバ
１６  第１のリレー
１７  第２のリレー
１８  リレー
１９  組電池
２０  コントローラ
２１  防振材
２２  枠
２３  接点端子
２４、２４０、２４１、２４２  第１のバスバ
２５  第２のバスバ
２６、２６２、２６３  第３バスバ
２７  第１の端子部
２８  第２の端子部
２９、２９０、２９１、２９３  結合部
３０  組電池の第１の出力端子
３１  電池装置の第１の出力端子
３２  組電池の第２の出力端子
３３  電池装置の第２の出力端子
３４ａ、３４２ａ、３４ｂ、３４ｃ、３４２ｃ  第１の連結部
３５ａ、３５２ａ、３５ｂ、３５ｃ  第２の連結部
３６ａ、３６２ａ、３６ｂ、３６ｃ、３６２ｃ、３６３ｃ  第３の連結部
３７、３７０、３７１、３７３  分割部
３８  波形部
３９  第１の延伸部
４０  第２の延伸部
４１、４１３  第１の部分
４２、４２３  第２の部分
４３０  中間部分
４３２  第３の延伸部
ｕｓ  上面
【図１】
2019192411.tif 000003
【図２】
2019192411.tif 000004
【図３】
2019192411.tif 000005
【図４】
2019192411.tif 000006
【図５】
2019192411.tif 000007
【図６】
2019192411.tif 000008
【図７】
2019192411.tif 000009
【図８】
2019192411.tif 000010
【図９】
2019192411.tif 000011
【図１０】
2019192411.tif 000012
【図１１】
2019192411.tif 000013